(57)【要約】【課題】  食品収納用凹部の温度制御を行い、適正な食品保存温度を確保することができる冷蔵庫を提供することを目的とする。【解決手段】  この発明に係る冷蔵庫は、上段に冷蔵室、下段に零度以上の温度帯室を有する冷蔵庫本体と、冷蔵室の断熱扉内側に設けられたポケット容器と、冷蔵室と零度以上の温度帯室との間を仕切る仕切壁と、この仕切壁の、冷蔵室の断熱扉が閉まった状態でポケット容器の下方に位置する部分に設けられた食品収納用凹部と、この食品収納用凹部近傍に設けられ、食品収納用凹部の温度を検知する温度センサーとを備えたことを特徴とする。【選択図】        図１
2006138487.tif 000002
【特許請求の範囲】
【請求項１】
上段に冷蔵室、下段に零度以上の温度帯室を有する冷蔵庫本体と、
前記冷蔵室の断熱扉内側に設けられたポケット容器と、
前記冷蔵室と前記零度以上の温度帯室との間を仕切る仕切壁と、
この仕切壁の、前記冷蔵室の断熱扉が閉まった状態で前記ポケット容器の下方に位置する部分に設けられた食品収納用凹部と、
この食品収納用凹部近傍に設けられ、該食品収納用凹部の温度を検知する温度センサーと、
を備えたことを特徴とする冷蔵庫。
【請求項２】
上段に冷蔵室、下段に零度以下の温度帯室を有する冷蔵庫本体と、
前記冷蔵室の断熱扉内側に設けられたポケット容器と、
前記冷蔵室と前記零度以下の温度帯室との間を仕切る仕切壁と、
この仕切壁の、前記冷蔵室の断熱扉が閉まった状態で前記ポケット容器の下方に位置する部分に設けられた食品収納用凹部と、
この食品収納用凹部近傍に設けられ、該食品収納用凹部の温度を検知する温度センサーと、
前記零度以下の温度帯室と、前記食品収納用凹部との間に設けられた断熱部と、
を備えたことを特徴とする冷蔵庫。
【請求項３】
前記食品収納用凹部の上面に開閉自在の蓋を備えたことを特徴とする請求項１又は請求項２記載の冷蔵庫。
【請求項４】
前記冷蔵室内の下部に零度以下となる室を設け、この零度以下となる室はスライドケースを有し、このスライドケースを引き出す時に、前記食品収納用凹部の蓋が該スライドケースの移動に伴い前方へスライドして、前記食品収納用凹部を覆うことを特徴とする請求項３記載の冷蔵庫。
【請求項５】
前記食品収納用凹部の外側に保温用ヒータを設け、前記温度センサーで検知した該食品収納用凹部の温度に応じて、前記保温用ヒータにより該食品収納用凹部の温度を制御することを特徴とする請求項１乃至４のいずれかに記載の冷蔵庫。
【請求項６】
前記食品収納用凹部内に、収納容器を設けたことを特徴とする請求項１乃至５のいずれかに記載の冷蔵庫。
【請求項７】
前記食品収納用凹部の温度を検知する温度センサーの取り付け部を、前記仕切壁に着脱自在に設けたことを特徴とする請求項１乃至６のいずれかに記載の冷蔵庫。
【請求項８】
前記食品収納用凹部の温度を、凍結を嫌う食品を収納できることを特徴とする請求項１乃至７のいずれかに記載の冷蔵庫。
【請求項９】
前記冷蔵室の断熱扉が観音開き式扉であり、少なくとも一方の扉を開いた状態で、前記食品収納用凹部の食品を取り出せる構成としたことを特徴とする請求項１乃至８のいずれかに記載の冷蔵庫。
【発明の詳細な説明】
【技術分野】
【０００１】
この発明は、冷蔵室と零度以上又は零度以下の温度帯室との間の仕切壁に食品収納用凹部を設け、食品収納用凹部内の温度を検知して、適正な温度に制御する冷蔵庫に関するものである。
【背景技術】
【０００２】
従来の冷蔵室と零度以上の温度帯室との間の仕切壁に食品収納用凹部を設けた冷蔵庫は、冷蔵庫本体の上から冷蔵室、野菜室、冷凍室の順に配置されており、冷蔵室と野菜室の間に中仕切が設けられ、中仕切の断熱扉側に食品収納用凹部が設けられている（例えば、特許文献１参照）。
【特許文献１】特開２００３−５６９７９号公報
【発明の開示】
【発明が解決しようとする課題】
【０００３】
従来の冷蔵室と零度以上の温度帯室との間の仕切壁に食品収納用凹部を設けた冷蔵庫は、中仕切真上の収納ケースの温度が零度もしくは零度以下の温度に設定された場合、食品収納用凹部の温度が低下し卵等の食品が凍結する等の問題点があった。
【０００４】
また、食品収納用凹部に蓋を設けた場合、蓋の開閉状態や蓋の有無で食品収納用凹部内の温度が変化し、温度制御が困難となるという問題点があった。
【０００５】
この発明は、上記のよう問題点を解決するためになされたもので、食品収納用凹部の温度制御を行い、適正な食品保存温度を確保することができる冷蔵庫を提供することを目的とする。
【課題を解決するための手段】
【０００６】
この発明に係る冷蔵庫は、上段に冷蔵室、下段に零度以上の温度帯室を有する冷蔵庫本体と、冷蔵室の断熱扉内側に設けられたポケット容器と、冷蔵室と零度以上の温度帯室との間を仕切る仕切壁と、この仕切壁の、冷蔵室の断熱扉が閉まった状態でポケット容器の下方に位置する部分に設けられた食品収納用凹部と、この食品収納用凹部近傍に設けられ、食品収納用凹部の温度を検知する温度センサーとを備えたことを特徴とする。
【発明の効果】
【０００７】
この発明に係る冷蔵庫は、上記構成により、食品収納用凹部内の温度を検知しコントロールできるため、食品収納用凹部内の食品を適温に保存するという効果を有する。
【発明を実施するための最良の形態】
【０００８】
実施の形態１．
図１、２は実施の形態１を示す図で、図１は冷蔵庫の縦断面図、図２は図１のＡから見た斜視図である。
図１において、冷蔵室１の下方に零度以上の温度帯室２が位置し、冷蔵室１と零度以上の温度帯室２との間は仕切壁３で仕切られている。断熱扉４により冷蔵室１の前面開口部が開閉される。断熱扉４の庫内側下部にはポケット容器４ａが設けられ、扉内板に係合している。
【０００９】
断熱扉４に係合しているポケット容器４ａの下方の仕切壁３には食品収納用凹部３ａがあり、食品収納用凹部３ａの縦壁には温度センサー５が配設されている。
【００１０】
零度以上の温度帯室２の奥側の冷蔵庫背面部には冷却室が設けられ、冷却室には冷却器６、その上方に送風ファン７が配設されている。冷却室に連通する冷蔵室１への風路途中に風量調整装置８が設けられている。冷蔵室１下段にはスライドケースを有するスライド室９が設けられ、スライド室９内にはスライド室センサー１０を備える。冷蔵室背面部には、食品収納用凹部３ａの温度センサー５やスライド室９のスライド室センサー１０等の信号により、例えば風量調整装置８の制御を行う制御基板１１が設けられている。
【００１１】
図２において、温度センサー５は仕切壁３の袋形状３ｂに仮固定され、テープ１２によって縦壁側に押しつけられている。更に、仕切壁薄肉部３ｃに温度センサー５を押しつけている。
【００１２】
次に動作について説明する。
このように構成された冷蔵室１と零度以上の温度帯室２との間の仕切壁３に食品収納用凹部３ａを設けた冷蔵庫においては、冷却器６で熱交換された冷気が送風ファン７によって冷蔵室１側へ送られ、スライド室９内へはスライド室センサー１０の信号で制御基板１１により風量調整装置８の弁を開閉し冷気を送る。
【００１３】
例えば、スライド室９内の設定温度を０℃以下にした場合、食品収納用凹部３ａ内の温度が下がりすぎることがあるため、その場合温度センサー５の信号で制御基板１１により風量調整装置８の弁を開閉し、冷気量を調整する。
【００１４】
以上のように、スライド室９内の設定温度を０℃以下にし、食品収納用凹部３ａの温度が下がりすぎても、温度センサー５の信号で制御基板１１により風量調整装置８の弁を開閉して冷気量を調整するので、食品収納用凹部３ａの温度が下がりすぎないようコントロールすることができるので、卵等の収納した食品を凍結させる恐れが少ない。
【００１５】
また、温度センサー５はテープ１２により仕切壁３の縦壁側（仕切壁薄肉部３ｃ）に押しつけられているので、食品収納用凹部３ａ内の温度を検知しやすくなる。
【００１６】
さらに、仕切壁薄肉部３ｃに温度センサー５を位置させることにより、食品収納用凹部３ａ内の温度をさらに検知しやすくなる。
【００１７】
実施の形態２．
図３は実施の形態２を示す図で、冷蔵庫の部分縦断面図である。
図３に示すように、食品収納用凹部３ａの上面開口部を塞ぐ蓋１３が設けられており、仕切壁３の上面をＢ方向にスライドさせ、蓋１３を開閉させる構造となっている。
【００１８】
スライド室９内の温度を０℃以下に設定した場合、食品収納用凹部３ａ内の温度は蓋１３が閉まっている状態で３℃程度の適温になるよう調整すると、蓋１３を開けた状態や蓋１３を外してしまった時には調整した温度より低くなり、食品収納用凹部３ａ内の食品が冷えすぎたり凍ったりする可能性がある。
【００１９】
食品収納用凹部３ａの温度を検知する温度センサー５を設けることにより、蓋１３の開閉状態や有無によらず、食品収納用凹部３ａ内の温度をコントロールすることができる。
【００２０】
実施の形態３．
図４、５は実施の形態３を示す図で、冷蔵庫の部分縦断面図である。
図４に示すように、スライド室９内の食品を収納するスライドケース１４の底面の裏側に凸形状１４ａが設けられている。また、スライドケース１４の前面に、取っ手部１４ｂを備える。
【００２１】
図４では、食品収納用凹部３ａの上面開口部を塞ぐ蓋１３が開いた状態になっているが、スライドケース１４前面の取っ手部１４ｂに手を掛けて引き出すと、凸形状１４ａが蓋１３の後方部に引っ掛かり、蓋１３を食品収納用凹部３ａの上面を塞ぐ位置まで移動させる構造となっている（図５参照）。
【００２２】
これにより、蓋１３が閉まった状態で食品収納用凹部３ａ内の温度を調整した場合、蓋１３が開いた状態になっても、スライドケース１４を引き出す度に蓋１３は閉めた状態に戻されるので、蓋１３が開いた状態を極力短くでき、食品収納用凹部３ａ内の温度変化を最小にすることができる。
【００２３】
また、蓋１３を閉まった状態にした方が、食品収納用凹部３ａ内への雑菌等の付着や乾燥を防ぐことができる。
【００２４】
実施の形態４．
図６、７は実施の形態４を示す図で、冷蔵庫の部分縦断面図である。
図６に示すように、食品収納用凹部３ａの底面３ｄの裏側に保温ヒータ１５が設けられており、零度以上の温度帯室２側から保温ヒータ１５が触れないように、仕切壁３の底面部品３ｅが保温ヒータ１５の下側を覆っている。
【００２５】
食品収納用凹部３ａの温度が下がりすぎた場合、温度センサー５で食品収納用凹部３ａ内の温度を検知し、保温ヒータ１５を通電させて食品収納用凹部３ａ内の温度を上げる。逆に、保温ヒータ１５により食品収納用凹部３ａ内の温度が上がりすぎた場合は、温度センサー５で食品収納用凹部３ａ内の温度を検知し、保温ヒータ１５をオフにして食品収納用凹部３ａ内の温度を下げる。
【００２６】
これにより食品収納用凹部３ａ内の温度を更に安定した温度にコントロールすることができる。さらに、保温ヒータ１５の端面部１５ａを温度センサー５に近づけることにより、温度センサー５が保温ヒータ１５の温度を敏感に感知することができる。
【００２７】
本実施の形態は、図７に示すように、食品収納用凹部３ａの上面開口部を塞ぐ蓋１３が設けられたものにも適用可能であり、上記と同様の効果を奏する。
【００２８】
実施の形態５．
図８、９は実施の形態５を示す図で、冷蔵庫の部分縦断面図である。
図８に示すように、食品収納用凹部３ａの内側に収納容器１６が設けられている。
【００２９】
保温ヒータ１５の温度が高くなった場合、食品収納用凹部３ａの底面３ｄの温度も高くなり、底面３ｄに接するように食品を置いた場合、その食品の温度も高くなり、保存性が悪化する。食品を収納容器１６に入れた場合は、食品収納用凹部３ａの底面３ｄの温度が高くなった場合でも、保温ヒータ１５からの距離も遠くなり、別部品となることから温度が伝わりにくくなるため、食品の温度が高くなる恐れが少ない。
【００３０】
また、収納容器１６は仕切壁３の食品収納用凹部３ａから容易に外すことができるため、収納容器１６内に食汁等をこぼした時も、取り外して清掃することができる。
【００３１】
本実施の形態は、図９に示すように、食品収納用凹部３ａの上面開口部を塞ぐ蓋１３が設けられたものにも適用可能であり、上記と同様の効果を奏する。
【００３２】
実施の形態６．
図１０、１１は実施の形態６を示す図で、食品収納用凹部付近の断面図である。
図１０に示すように、食品収納用凹部３ａ内の温度を検知する温度センサー５は仕切壁３から上方に分離可能な別ピース１７に取り付けられている。
【００３３】
また、図１１に示すように、食品収納用凹部３ａ内の温度を検知する温度センサー５は仕切壁３から下方に分離可能な別ピース１８に取り付けられている。
【００３４】
これにより、温度センサー５の部品交換をする時には、別ピース１７又は別ピース１８を取り外して交換することができる。また、別ピース１７又は別ピース１８を取り外せることにより、温度センサー５が食品収納用凹部３ａの温度を確実に検知できるよう取り付けられているか確認することもできる。
【００３５】
図１０のように上方から別ピース１８を取り外す方が取り外し作業性が良く、図１１のように下方から別ピース１８を取り外す場合は、食品収納用凹部３ａに部品の切れ目がなく、部品の切れ目から食汁等が侵入する恐れがない。
【００３６】
実施の形態７．
図１２〜１４は実施の形態７を示す図で、冷蔵庫の正面図である。
図１２に示すように、冷蔵室１は冷蔵室扉右４ｂと冷蔵室扉左４ｃにより冷蔵室１の前面開口部を塞がれる構造となっており、冷蔵室扉右４ｂと冷蔵室扉左４ｃはそれぞれ冷蔵室１の外側を軸として中央側から開く仕様となっている。
【００３７】
図１２のように冷蔵室扉右を開いた状態で食品収納用凹部３ａが見渡せる構造とすることにより、片側だけの扉（冷蔵室扉右４ｂ）を開けた状態で食品収納用凹部３ａから食品を出し入れ出来、冷蔵室１内の冷気と外気との熱交換を防ぐことができる。
【００３８】
図１２では食品収納用凹部３ａが右側にあるが、図１３に示すように左側に位置させることも出来る。
【００３９】
また、図１４に示すように、左右２ケ所に食品収納用凹部３ａを設けることもできる。
【００４０】
さらに、左右２ケ所に食品収納用凹部３ａを設ける場合、片側は食品収納用凹部３ａの代わりに給水タンクを収納する仕様も考えられる。
【００４１】
実施の形態８．
図１５〜１７は実施の形態８を示す図で、冷蔵庫の部分縦断面図である。
図に示すように、冷蔵室１の下側には零度以下の温度帯室１９を設け、食品収納用凹部３ａの下側には断熱部３ｆを設けている。
【００４２】
図１５のように、食品収納用凹部３ａの下側に断熱部３ｆを設けることにより、零度以下の温度帯室１９からの温度影響を受けることがなく、食品収納用凹部３ａの温度をコントロールできる。
【００４３】
また、図１６に示すように、断熱部３ｆに加えて、食品収納用凹部３ａの底面の裏側に保温ヒータ１５を設けることにより、更に温度コントロールを正確にすることができる。
【００４４】
また、図１７に示すように、図１６の構成に加えて収納容器１６を食品収納用凹部３ａに設けてもよい。
【００４５】
さらに、本実施の形態においても、食品収納用凹部３ａを覆う蓋１３を用いてもよい。
そして、スライド室９内のスライドケース１４の底面の裏側に凸形状１４ａを設け、スライドケース１４を引き出す度に蓋１３を閉めた状態に戻すようにしてもよい。
【図面の簡単な説明】
【００４６】
【図１】実施の形態１を示す図で、冷蔵庫の縦断面図である。
【図２】実施の形態１を示す図で、図１のＡから見た斜視図である。
【図３】実施の形態２を示す図で、冷蔵庫の部分縦断面図である。
【図４】実施の形態３を示す図で、冷蔵庫の部分縦断面図である。
【図５】実施の形態３を示す図で、冷蔵庫の部分縦断面図である。
【図６】実施の形態４を示す図で、冷蔵庫の部分縦断面図である。
【図７】実施の形態４を示す図で、冷蔵庫の部分縦断面図である。
【図８】実施の形態５を示す図で、冷蔵庫の部分縦断面図である。
【図９】実施の形態５を示す図で、冷蔵庫の部分縦断面図である。
【図１０】実施の形態６を示す図で、食品収納用凹部付近の断面図である。
【図１１】実施の形態６を示す図で、食品収納用凹部付近の断面図である。
【図１２】実施の形態７を示す図で、冷蔵庫の正面図である。
【図１３】実施の形態７を示す図で、冷蔵庫の正面図である。
【図１４】実施の形態７を示す図で、冷蔵庫の正面図である。
【図１５】実施の形態８を示す図で、冷蔵庫の部分縦断面図である。
【図１６】実施の形態８を示す図で、冷蔵庫の部分縦断面図である。
【図１７】実施の形態８を示す図で、冷蔵庫の部分縦断面図である。
【符号の説明】
【００４７】
１  冷蔵室、２  零度以上の温度帯室、３  仕切壁、３ａ  食品収納用凹部、３ｂ  袋形状、３ｃ  仕切壁薄肉部、３ｄ  底面、３ｅ  底面部品、３ｆ  断熱部、４  断熱扉、４ａ  ポケット容器、４ｂ  冷蔵室扉右、４ｃ  冷蔵室扉左、５  温度センサー、６  冷却器、７  送風ファン、８  風量調整装置、９  スライド室、１０  スライド室センサー、１１  制御基板、１２  テープ、１３  蓋、１４  スライドケース、１４ａ  凸形状、１４ｂ  取っ手部、１５  保温ヒータ、１５ａ  保温ヒータの端面部、１６  収納容器、１７，１８  別ピース、１９  零度以下の温度帯室。
【図１】
2006138487.tif 000003
【図２】
2006138487.tif 000004
【図３】
2006138487.tif 000005
【図４】
2006138487.tif 000006
【図５】
2006138487.tif 000007
【図６】
2006138487.tif 000008
【図７】
2006138487.tif 000009
【図８】
2006138487.tif 000010
【図９】
2006138487.tif 000011
【図１０】
2006138487.tif 000012
【図１１】
2006138487.tif 000013
【図１２】
2006138487.tif 000014
【図１３】
2006138487.tif 000015
【図１４】
2006138487.tif 000016
【図１５】
2006138487.tif 000017
【図１６】
2006138487.tif 000018
【図１７】
2006138487.tif 000019